(57)【要約】【課題】ブラシアタッチメントを容易に着脱することが可能な電気掃除機の提供。【解決手段】課題を解決する為には、電気掃除機において、電動送風機と集塵部を備えた掃除機本体と、掃除機本体に接続する風路形成体と、風路形成体に設けられるアタッチメントを備え、風路形成体は管体を有し、管体の左側面及び右側面には、それぞれ支持軸が突出して設けられ、アタッチメントは、Ｕ字状の本体部と、本体部に設けられるブラシ部を有し、本体部の内面には、向かい合う一対の凹部が備えられ、支持軸に凹部が掛り支持されることで、アタッチメントは、管体に対して回転自在に使用可能状態と収納状態に形態を変化することが可能に設けられ、一方の凹部と支持軸の掛り量を、他方の凹部と支持軸の掛り量より、少なく構成することにより、上記の課題を解決することができる。【選択図】図９
2018075228.tif 000002
【特許請求の範囲】
【請求項１】
電動送風機と集塵部を備えた掃除機本体と、
前記掃除機本体に接続する風路形成体と、
前記風路形成体に設けられるアタッチメント
を備え、
前記風路形成体は管体を有し、該管体の左側面及び右側面には、それぞれ支持軸が突出して設けられ、
前記アタッチメントは、Ｕ字状の本体部と、該本体部に設けられるブラシ部を有し、
前記本体部の内面には、向かい合う一対の凹部が備えられ、
前記支持軸に前記凹部が掛り支持されることで、前記アタッチメントは、前記管体に対して回転自在に使用可能状態と収納状態に形態を変化することが可能に設けられ、
一方の前記凹部と前記支持軸の掛り量を、他方の前記凹部と前記支持軸の掛り量より、少なく構成したことを特徴とする電気掃除機。
【請求項２】
前記アタッチメントを前記管体から外す際に使用者が指を掛ける指掛け部は、前記本体部の掛り量が少ない側の前記凹部と前記支持軸に近い端に設けられたことを特徴とする請求項１に記載の電気掃除機。
【請求項３】
前記本体部は、軟質の合成樹脂により構成されたことを特徴とする請求項１又は２に記載の電気掃除機。
【請求項４】
前記本体部は突出部を有し、該突出部は前記本体部と前記管体との隙間を覆うことを特徴とする請求項１乃至３に記載の電気掃除機。
【発明の詳細な説明】
【技術分野】
【０００１】
本発明は、ブラシのアタッチメントを有する電気掃除機に関する。
【背景技術】
【０００２】
従来から、電気掃除機において、手元操作部の吸い込み開口、又は、手元操作部に接続して用いる延長管の吸込み開口に、ブラシアタッチメントを備えた電気掃除機がある。
このようなアタッチメントの本体部は、Ｕ字形状に構成されて毛ブラシが設けられており、本体部が吸込み開口を形成する管体を左右から挟むように、左右の取り付け位置を軸に回転自在に取り付けられる。このように管体に取り付けられたアタッチメントは、ブラシが吸込み開口の前側に位置する使用状態と、ブラシが吸い込み開口の後側に位置する収納状態と、状態を変化させて用いることができるものである。
【先行技術文献】
【特許文献】
【０００３】
【特許文献１】特開２０１４−１４０４８０号公報
【発明の概要】
【発明が解決しようとする課題】
【０００４】
しかしながら、このようなブラシアタッチメントは、使用時に容易に管体から脱落することがないように取り付けられているので、ブラシに付着した塵挨を取り除いたり、アタッチメントを交換したりする為に、管体からブラシアタッチメントを容易に着脱することができないという課題がある。
【０００５】
本発明は上記の課題を解決する為のものであり、ブラシアタッチメントを管体から容易に着脱することが可能な電気掃除機を提供するものである。
【課題を解決するための手段】
【０００６】
上記の課題を解決する為には、電気掃除機において、電動送風機と集塵部を備えた掃除機本体と、掃除機本体に接続する風路形成体と、風路形成体に設けられるアタッチメントを備え、風路形成体は管体を有し、管体の左側面及び右側面には、それぞれ支持軸が突出して設けられ、アタッチメントは、Ｕ字状の本体部と、本体部に設けられるブラシ部を有し、本体部の内面には、向かい合う一対の凹部が備えられ、支持軸に凹部が掛り支持されることで、アタッチメントは、管体に対して回転自在に使用可能状態と収納状態に形態を変化することが可能に設けられ、一方の凹部と支持軸の掛り量を、他方の凹部と支持軸の掛り量より、少なく構成することにより、上記の課題を解決することができる。
【発明の効果】
【０００７】
本発明によれば、ブラシアタッチメントを管体から容易に着脱することが可能な電気掃除機を提供することができる。
【図面の簡単な説明】
【０００８】
【図１】実施の形態に係る電気掃除機を示す図
【図２】手元操作部の斜視図
【図３】手元操作部の部分拡大図
【図４】手元操作部の斜視図（ブラシアタッチメントを外した状態）
【図５】手元操作部の側面図（ａ）ブラシアタッチメントを使用しない状態  （ｂ）ブラシアタッチメントを使用している状態
【図６】ブラシアタッチメントの平面図及び斜視図
【図７】図５の状態の手元操作部の斜視図
【図８】図７のＢ−Ｂ断面図
【図９】図５（ａ）のＡ−Ａ断面図
【図１０】図９のブラシアタッチメントのみを示す断面図
【発明を実施するための形態】
【０００９】
図１において、電気掃除機１１は、掃除機本体１２（以下、本体１２）と、この本体１１２に着脱可能に接続される管体を有する風路形成体１３を備える。
本体１２の外殻は、内部に後述する機能部品を配置する空間を形成する本体ケース１５により構成されている。本体ケース１５には、被掃除面である床面上を旋回および走行可能な車輪１５ａを備えている。
【００１０】
この本体ケース１５の内部には、集塵部１７、電動送風機（図示せず）、この電動送風機に給電するためのコードリール装置（図示せず）や電源部（図示せず）、電動送風機などの動作を制御する本体制御部（図示せず）などが収容されている。
電動送風機は、本体１２の内部に負圧を生じさせ、本体１２に接続する風路形成体１３から集塵部１７に至る空間に、被掃除面から塵挨を吸引する為の気流を形成する。
【００１１】
集塵部１７は、電動送風機により生み出される気流に混ざって風路形成体１３を流下してきた塵挨を捕集するものである。集塵部１７は、塵埃が混ざる気流から塵挨のみを濾しとる紙パックや、遠心力により塵挨を分離するサイクロン分離装置等が用いられる。尚、集塵部１７は、捕集した塵挨を捨てる為に、本体１２に対して着脱可能である。
そして、この本体１２(本体ケース１５)には、集塵部１７に連通するとともに風路形成体１３の基端側が接続される本体吸込口１９が形成されている。
【００１２】
風路形成体１３は、ホース体２１と、このホース体２１の先端に接続する延長管２２と、延長管２２の先端に接続する吸込口体である床ブラシ２３からなり、電動送風機の吸込み側と連通する風路を、内部に形成する。つまり、風路形成体１３は、電動送風機により生み出される気流の風路となるものである。
【００１３】
延長管２２は、合成樹脂により構成された管体であり、ホース体２１に対して着脱可能である。床ブラシ２３は、内部にモーターにより駆動する回転ブラシを備え、被清掃面から塵挨を吸い込む部位であり、延長管２２に対して着脱可能である。
尚、以下、風路形成体１３の軸方向（気流の流れる方向）に沿って、床ブラシ２３側を前側、ホース体２１側を後側とし、これら前後方向に対して直交する方向に左右方向および上下方向を定義するものとする。
【００１４】
次に、ホース体２１は、可撓性を有するホース２５と、このホース２５の基端側に設けられた接続管部２６と、ホース２５の先端側に設けられた手元操作部２７とを有している。
接続管部２６は、本体吸込口１９と接続して本体１２の内部の電動送風機の吸込み側とホース２５を連通して風路を形成する。
【００１５】
図２〜図５を参照すると、手元操作部２７は、使用者が手に持ち操作する部位であり、前端に前開口２７ｆが開口する管体である手元操作管部２７ａと、この手元操作管部２７ａに設けられた把持部２８を有する。手元操作管部２７ａの先端には、前開口２７ｆに連通した状態で延長管２２が接続される。
【００１６】
手元操作管部２７ａの上面は、上カバー２７ｇに覆われている。上カバー２７ｇは、前開口２７ｆから把持部２８に至る手元操作管部２７ａの上面を形成する。また、手元操作部２７ａの基端には、ホース２５が接続される。尚、延長管２２は、手元操作部２７に対して、着脱自在である。つまり、延長管２２と手元操作部２７とホース２５は、電動送風機の吸込み側と連通する風路を形成する風路形成体１３を形成する管体となる部位である。
【００１７】
また、把持部２８には、電動送風機の動作モードなどの本体制御部を設定するための設定ボタン部２９が配置されている。
更に、手元操作管部２７ａには、延長管２２を固定・解除するクランプ２７ｂと、床ブラシ２３に設けられたモーターに電力を供給する端子２７ｃと、補助清掃具となるアタッチメント３１が設けられている。
【００１８】
アタッチメント３１は、手元操作管部２７ａの左右の側面にそれぞれ設けられた支持軸２７ｄに回転自在に設けられることで、使用可能状態と収納状態に形態を変化可能となっている。また、アタッチメント３１は、支持軸２７ｄとの前後に設けられた固定凸部２７ｅにより、使用可能状態と収納状態で固定される。
【００１９】
ここで、図６〜図８を参照してアタッチメントについて説明する。
アタッチメント３１は、本体部３３とブラシ部３５を有する。本体部３３は、変形させやすい軟質の合成樹脂により構成されている。例えば、本体部３３には、ポリプロピレン樹脂が用いられる。
また、本体部３３は、概ね円筒を軸方向に切断した半円筒状に形成されており、軸方向から見るとＵ字状（アーチ状）に湾曲した形状を成している。尚、本体部３３の外側を向く面を外面３３ｘ、内側を向く面を内面３３ｙと示す。
【００２０】
本体部３３の軸方向の端である第１横端３３ａには、ブラシ部３５が設けられている。ブラシ部３５は、本体部３３の植毛が軸方向に向けて延びるように、第１横端３３ａに設けられる。尚、第１横端３３ａは、アタッチメント３１を使用する際に前方を向き、ブラシ部３５も前方を向く。
また、第１横端３３ａの反対側の端面である第２横端３３ｂは、中心を含む部分が第１横端３３ａとは反対方向に突出した突出部３３ｃを有する形状を成している。尚、第２横端３３ｂは、アタッチメント３１を使用する際には後方を向く。
【００２１】
次に、本体部３３において、本体部３３の周方向の端であって、アタッチメント３１を使用する際に左側となる端を第１縦端３３ｄ、アタッチメント３１を使用する際に右側となる端を第２縦端３３ｅとする。
第1縦端３３ｄには、縦方向に長く突出したリブを設けることで、外周面３３ｘ及び内周面３３ｙより凹んだ段である第1指掛け部３３ｆが形成されている。
【００２２】
また、外面３３ｘであって、第１横端３３ａと第１縦端３３ｄ、第１横端３３ａと第２縦段部３３ｅがそれぞれ交わる角の部分をＣ面形状にすると共に、凹凸を設けることで第２指掛け部３３ｇが形成されている。この一対の第２指掛け部３３ｇは、左右対象となる形状に構成されている。
このように、使用者が使用する際に力点となる第２指掛け部３３ｇは、回転位置となる凹部３３ｈ、３３ｉから離れた位置に設けられる。これにより、使用者がより小さな力で、アタッチメント３１の回転動作を行うことができる。
【００２３】
次に、内面３３ｙにおいて、第２横端３３ｂと第１縦端３３ｄが交わる角の近傍の部分には、第１凹部３３ｈが形成されている。また、第２横端３３ｂと第２縦端３３ｅが交わる角の近傍の部分には、第２凹部３３ｉが形成されている。
第1凹部３３ｈと第２凹部３３ｉは向かい合って配置されており、それぞれの凹部は、対向する凹部に向けて開口している。つまり、本体部３３の内面３３ｙにおいて、一対の凹部である第１凹部３３ｈと第２凹部３３ｉが、向かい合って同軸となるように配置されている。
この様に構成された第１凹部３３ｈと第２凹部３３ｉは、それぞれ支持軸２７ｄを回転自在に支持する軸受となる。
【００２４】
ここで、図６（ｅ）、図９〜図１０を参照すると、第２凹部３３ｉは、凹部を形成する有形筒状の部位において、凹部の底から凹部の開口までの高さ（深さ）が、凹部の開口の位置にかかわらずΔＤ１に構成されている。つまり、第２凹部３３ｉは、深さがΔＤ１の凹部に形成されている。
【００２５】
これに対して、第１凹部３３ｈは、凹部を形成する有底筒状の部位において、凹部の底から凹部の開口までの高さ（深さ）が、第１縦端３３ｄに対向している側の部分がΔＤ１より小さいΔＤ２に構成され、残りの部分がΔＤ１に構成されている。つまり、第１凹部３３ｈは、第１縦端３３ｄに対向した部分が開口までの深さがΔＤ２で、その他の開口の部分の深さがΔＤ１に構成された段状の開口に形成されている。
言い換えると、第１凹部３３ｈは、第１縦端３３ｄ側の一部分が切り欠かれた凹部に形成されている。尚、第１凹部３３ｈにおいて、高さがΔＤ２の部分は、開口から第１縦端３３ｄに至る部分において、凹部の底からの高さがΔＤ２を超える部分が無い。
【００２６】
この様に構成されたアタッチメント３１は、第１凹部３３ｈと第２凹部３３ｉが、それぞれ手元操作管部２７ａに設けられた支持軸２７ｄに嵌ることで、手元操作管部２７ａに取り付けられる。
アタッチメント３１は、手元操作管部２７ａに取り付けられた状態では、手元操作管部２７ａの一方の側面から他方の側面に至り手元側差管部２７ａを覆い、支持軸２７ｄに第１凹部３３ｈ及び第２凹部３３ｉが軸支持されて、手元操作管部２７ａに対して回動自在となる。
【００２７】
そして、このように手元操作管部２７ａに取り付けられたアタッチメント３１は、収納時は、図５（ａ）に示すように、ブラシ３５を後方に向けた状態で、手元操作管部２７ａの前端より前に突出しない状態となり、延長管２２と接続する際に邪魔にならないように構成されている。
【００２８】
また、使用時は、図５（ｂ）に示すように、ブラシ３５を前方に向けた状態で、前開口２７ｆの前方に位置させた状態となり、ブラシ３５により欠きだした塵挨を前開口２７ｆに導きやすく構成されている。
尚、収納時も使用時も、アタッチメント３１は、固定凸部２７ｅに係止することで、その状態を維持する。
【００２９】
以上のように構成されたアタッチメント３１は、アタッチメント３１が手元操作管部２７ａに収納された状態において、使用者が、第１指掛け部３３ｆに指を掛け、本体部３３を広げて手元操作管部２７ａから離すことで、第１凹部３３ｈから支持軸２７ｄが外れ、アタッチメント３１は、手元操作管部２７ａが外すことができる。
【００３０】
本実施の形態のように、手元操作管部２７ａの支持軸２７ｄに支持される２つの凹部である第１凹部３３ｈと第２凹部３３ｉの内、一方の凹部である第１凹部３３ｈを第１縦端３３ｄ側に向けて一部分が切り欠かれた凹部とすることで、アタッチメント３１を手元操作管部２７ａから外しやすくすることができる。
【００３１】
つまり、図９〜図１０に示すように、一部が切り欠かれた凹部である第１凹部３３ｈでは、支持軸２７ｄの掛り量は、第２凹部３３ｉにおける支持軸２７ｄの掛り量より、Δα分だけ少ないことから、アタッチメント３１を取り外しの為に変形させる量をより小さくすることができる。
特に、片側の凹部のみ切り欠かれた凹部とすることで、掃除などで使用する通常使用の際には、アタッチメント３１が手元操作管部２７ａから外れにくく、メンテナンスなどを行うときは、アタッチメント３１は手元操作管部２７ａから外しやすい。
【００３２】
また、切り欠かれた凹部である第１凹部３３ｈの近傍に、アタッチメント３１を取り外す際に指を掛け変形させる為の操作部となる第１指掛け部３３ｆを設けたので、アタッチメント３１を取り外す際に、アタッチメント３１の変形量を抑えることができ、取り外しし易い。
また、アタッチメント３１の本体部３３は、変形させやすい軟質の樹脂であるポリプロピレン樹脂により構成されているので、本体部３３を変形させやすい。尚、本体部３３に用いるポリプロピレン樹脂に、カーボンやガラス等の繊維を混ぜることで、本体部３３の変形のし易さを調整しても良い。
【００３３】
また、図７〜図８を参照すると、アタッチメント３１は、使用時に第２横端３３ｂに形成された突出部３３ｃが、アタッチメント３１と手元操作管部２７ａの隙間を覆う。この状態において、突出部３３ｃの一部分は、端子２７ｃの下側であって前開口２７ｆとの間の位置で、上カバー２７ｇの下側に入り込み、手元操作部の端子２７ｃと吸い込まれる塵挨を含んだ気流の間に介在して両部位を仕切る。
【００３４】
これにより、清掃作業時にブラシ部３５によりかき出された塵埃が、端子２７ｃに入り込むことを防止することができる。
特に、上記の仕切りとなる部位を、第２横端３３ｂの一部分を突出して形成したことで、アタッチメント３１を取り外す際に、アタッチメント３１自体を変形させやすい程度の強度とすることができる。
【００３５】
以上のように本実施の形態では、風路形成体１３を構成する管体である手元操作部２７に設けられたアタッチメント３１の形態で説明したが、同じく、風路形成体１３を構成する管体である延長管２２に設けてもよい。つまり、風路形成体１３に用いるアタッチメント３１であれば、本発明を用いることができる。
【符号の説明】
【００３６】
１１  電気掃除機、１２  掃除機本体（本体）、１３  風路形成体、１５  本体ケース
１５ａ  車輪、１７  集塵部、１９  本体吸込口、２１  ホース体、２２  延長管、２３  床ブラシ、２４  風路、２５  ホース、２６  接続管部、２７  手元操作部、２７ａ  手元操作管部、２７ｂ  クランプ、２７ｃ  端子、２７ｄ  支持軸、２７ｅ  固定凸部、２７ｆ  前開口、２７ｇ  上カバー、２８  把持部、２９  設定ボタン、３１  アタッチメント、３３  本体部、３３ａ  第１横端、３３ｂ  第２横端、３３ｃ  突出部、３３ｄ  第1縦端、３３ｅ  第2縦端、３３ｆ  第１指掛け部、３３ｇ  第2指掛け部、３３ｈ  第１凹部、３３ｉ  第２凹部、３３ｘ  外面、３３ｙ  内面、３５  ブラシ部
【図１】
2018075228.tif 000003
【図２】
2018075228.tif 000004
【図３】
2018075228.tif 000005
【図４】
2018075228.tif 000006
【図５】
2018075228.tif 000007
【図６】
2018075228.tif 000008
【図７】
2018075228.tif 000009
【図８】
2018075228.tif 000010
【図９】
2018075228.tif 000011
【図１０】
2018075228.tif 000012